(57)【要約】      （修正有）【課題】快適な居住性を確保しつつ自然の中にいる感覚が損なわれないように、テントの外部の環境を適度に内部に伝えつつ、広々とした居住空間を支持する強度を確保する、アウトドアで使用される連設ドーム型テントを提供する。【解決手段】半球状に形成されて内部に中空を有する複数の小径ドーム２及び大径ドーム３と、各ドーム２、３それぞれに相互の形状が合致するように切断面を形成し、この切断面の形状と合致するようにアーチ状に形成された接続部４とを備える。連設ドーム型テント１は、接続部４を介して各ドームの切断面を付き合わせて、ドーム２、３を相互に接続されて構成されている。各ドーム２、３は、ロッド状のフレームを多数相互に接続して多面体を形成し、この多面体の外表面をアウターシートで覆って形成することができる。【選択図】図１
0003227638.tif 000002
【実用新案登録請求の範囲】
【請求項１】
半球状に形成されて内部に中空を有する複数のドームと、
相互に接続される各ドームそれぞれに、相互の形状が合致するように切断面を形成し、この切断面の形状と合致するようにアーチ状に形成された接続部と
を備え、
前記接続部を介して、接続される各ドームの前記切断面を付き合わせて、複数のドームが相互に接続されたことを特徴とする連設ドーム型テント。
【請求項２】
前記ドームは、ロッド状のフレームを多数相互に接続して多面体を形成し、この多面体の外表面をアウターシートで覆って形成されていることを特徴とする請求項１に記載の連設ドーム型テント。
【請求項３】
多数の前記フレームのうち、前記切断面に臨んで配置される接続部フレームの端部に形成され、前記接続部に当接される当接部と、
接続される各ドームのそれぞれに属するフレームのうち、前記接続部を挟んで対向配置される接続部フレームの各当接部を一括して前記接続部に固定する連結具と
をさらに備えることを特徴とする請求項２に記載の連設ドーム型テント。
【請求項４】
前記連結具は、
前記接続部の表裏に貫通されて形成された挿通孔に挿通されるロッド部と、
前記ロッド部の両端に刻設されたネジ部と、
前記当接部に形成された係合孔を前記ネジ部に挿通した状態で、前記ネジ部に螺合される固定ナットと
を有することを特徴とする請求項３に記載の連設ドーム型テント。
【請求項５】
前記多面体の内側に張設されるインナーシートと、
前記インナーシートの前記切断面に臨む部分において、前記インナーシートの表裏を貫通させて形成された固定孔と
前記固定孔を前記ネジ部に挿通した状態で前記ネジ部に螺合され、前記固定孔を固定するキャップ部と
をさらに備えることを特徴とする請求項４に記載の連設ドーム型テント。
【請求項６】
多数の前記フレームには水平に配置される水平フレームが含まれ、
前記多面体は、複数段の各水平面内において、前記水平フレームを環状又は円弧状に連結してなる水平環状部を、他のフレームで相互に接続して形成され、
前記水平環状部を形成する水平フレームのうち前記切断面に臨んで配置されるものが前記接続部フレームとして前記接続部に接続されている
ことを特徴とする請求項３乃至５のいずれかに記載の連設ドーム型テント。
【請求項７】
前記切断面は、前記半球状のドームの頂点を通らない垂直面であることを特徴とする請求項１乃至６のいずれかに記載の連設ドーム型テント。
【考案の詳細な説明】
【技術分野】
【０００１】
本考案は、キャンプやグランピング等で使用される連設ドーム型テントに関する。
【背景技術】
【０００２】
従来、キャンプなど屋外での宿泊で用いられるテントとしては、ポールを交差させて組み立てる構造のドーム型テントや、中央に支柱となるポールを立てて多角錐状に組み立てる構造のモノポールテント型など、様々なタイプが市販されている。例えば、特許文献１に開示されたテントは、多角錘又は円錐の側面形状を有するアウターシートと、アウターシートを支持するポールやロープを備えている。
【０００３】
また、近年では「グランピング」と呼ばれるスタイルのキャンプも広まりつつある。このグランピングとは、「優雅な」といった意味の「glamorous」と「camping」を合わせた造語で、贅沢にアウトドアを満喫する新しいリゾートスタイルである。このグランピングでは、テントの中にベッドや空調などが完備され、自然の中にいながらリゾートホテルのような居住性が提供される。
【先行技術文献】
【特許文献】
【０００４】
【特許文献１】特開２０１６-４４４３３号公報
【考案の概要】
【考案が解決しようとする課題】
【０００５】
ところで、上述したグランピングで用いられるテント設備は、快適な居住性を確保しつつ自然の中にいる感覚が損なわれないように、テントの外部の環境を適度に内部に伝えつつ、広々とした居住空間を支持する強度が要求される。
【０００６】
そこで、本考案は、上記のような課題に鑑み、アウトドアで用いられるテント設備において、快適な居住性を確保しつつ自然の中にいる感覚が損なわれないように、テントの外部の環境を適度に内部に伝えつつ、広々とした居住空間を支持する強度が確保できる連設ドーム型テントを提供することを目的とする。
【課題を解決するための手段】
【０００７】
上記課題を解決するために、本考案は、半球状に形成されて内部に中空を有する複数のドームと、相互に接続される各ドームそれぞれに、相互の形状が合致するように切断面を形成し、この切断面の形状と合致するようにアーチ状に形成された接続部とを備え、接続部を介して、接続される各ドームの切断面を付き合わせて、複数のドームが相互に接続された。
【０００８】
上記考案において、ドームは、ロッド状のフレームを多数相互に接続して多面体を形成し、この多面体の外表面をアウターシートで覆って形成されていることが好ましい。
【０００９】
上記考案において、多数のフレームのうち、切断面に臨んで配置される接続部フレームの端部に形成されて接続部に当接される当接部と、接続される各ドームのそれぞれに属するフレームのうち、接続部を挟んで対向配置される接続部フレームの各当接部を一括して接続部に固定する連結具とをさらに備えることが好ましい。
【００１０】
上記考案において、連結具は、接続部の表裏に貫通されて形成された挿通孔に挿通されるロッド部と、ロッド部の両端に刻設されたネジ部と、当接部に形成された係合孔をネジ部に挿通した状態で、ネジ部に螺合される固定ナットとを有することが好ましい。
【００１１】
上記考案において、多面体の内側に張設されるインナーシートと、インナーシートの切断面に臨む部分において、インナーシートの表裏を貫通させて形成された固定孔と固定孔をネジ部に挿通した状態でネジ部に螺合され、固定孔を固定するキャップ部とをさらに備えることが好ましい。
【００１２】
上記考案において、多数のフレームには水平に配置される水平フレームが含まれ、多面体は、複数段の各水平面内において、水平フレームを環状又は円弧状に連結してなる水平環状部を、他のフレームで相互に接続して形成され、水平環状部を形成する水平フレームのうち切断面に臨んで配置されるものが接続部フレームとして接続部に接続されていることが好ましい。
【００１３】
上記考案において、切断面は、半球状のドームの頂点を通らない垂直面であることが好ましい。
【考案の効果】
【００１４】
以上述べたように、これらの考案によれば、相互の形状が合致するように、複数のドームのそれぞれに切断面を形成し、この切断面の形状と合致するアーチ状の接続部を切断面の接続部分に配置し、この接続部を介して、各ドームの切断面を付き合わせてドーム同士を相互に接続している。このため、アーチ状の接続部を介して半球状のドームの内部中空が連通されることとなり、広々とした大空間を確保することができる。この結果、本考案によれば、アウトドアで用いられるテント設備において、快適な居住性を確保しつつ自然の中にいる感覚が損なわれないように、テントの外部の環境を適度に内部に伝えつつ、広々とした居住空間を支持する強度を確保できる。
【図面の簡単な説明】
【００１５】
【図１】実施形態に係る連設ドーム型テントの外部構成を示す側面図である。
【図２】実施形態に係る連設ドーム型テントの外部構成を示す上面図である。
【図３】実施形態に係る連設ドーム型テントのフレーム構造を示す側面図である。
【図４】実施形態に係る連設ドーム型テントのフレーム構造を示す上面図である。
【図５】実施形態に係る連設ドーム型テントのフレーム構造を示す斜視図である。
【図６】実施形態に係る連設ドーム型テントのフレーム構造を示す正面図である。
【図７】実施形態に係る大径側ドームのフレーム構造を示す斜視図である。
【図８】実施形態に係る大径側ドームのフレーム構造を示す側面図である。
【００１６】
る。
【図９】実施形態に係る小径側ドームのフレーム構造を示す斜視図である。
【図１０】実施形態に係る小径側ドームのフレーム構造を示す側面図である。
【００１７】
る。
【図１１】実施形態に係る接続部の構成を示す斜視図である。
【図１２】実施形態に係る連結構造を示す斜視図である。
【図１３】実施形態に係る連結構造を示す正面図である。
【図１４】実施形態に係る連結構造を示す分解斜視図である。
【図１５】実施形態に係る連結構造にインナーシートを取付けた状態を示す斜視図である。
【図１６】実施形態に係る連結構造にインナーシートを取付けた状態を示す側断面である。
【図１７】実施形態に係る連設ドーム型テントの内部構成を模式的に示す説明図である。
【図１８】実施形態に係る連設ドーム型テントの内部構成を模式的に示す説明図である。
【考案を実施するための形態】
【００１８】
（連設ドーム型テントの全体構成）
以下に添付図面を参照して、本考案に係るテントの実施形態を詳細に説明する。図１〜図９に本実施形態に係る連設ドーム型テントの構成を示す。なお、以下に示す実施の形態は、この考案の技術的思想を具体化するための装置等を例示するものであって、この考案の技術的思想は、各構成部品の材質、形状、構造、配置等を下記のものに特定するものでない。この考案の技術的思想は、特許請求の範囲において、種々の変更を加えることができる。
【００１９】
同図に示すように、連設ドーム型テント１は、キャンプなど屋外での宿泊で用いられるテントであり、特に本実施形態では、グランピングと呼ばれるリゾートスタイルで利用可能な、テントの中にベッドや空調などを完備できるように広い内部空間が確保できるようになっている。本実施形態の連設ドーム型テント１は、小径のドーム２と大径のドーム３の二つのドームを接続して構成される。
【００２０】
具体的に、本実施形態に係る連設ドーム型テント１は、半球状に形成されて内部に中空を有する複数のドーム（小径ドーム２及び大径ドーム３）を接続部４を介して接続され、内部に小径ドーム２から大径ドーム３にわたって内部中空が連結された大空間が形成されている。小径ドーム２側には出入りするためのエントランス２１が設けられており、各ドーム２，３にはそれぞれ内部に採光するための窓部２２ａ，２２ｂ，２３ａ及び２３ｂが設けられている。また、小径ドーム２及び大径ドーム３は、各ドーム２，３の下部に取付けられた脚部１０を介して地面Ｇ上に設営されている。この脚部１０は、フレーム２０，３０が集合されて連結された接合部分に対応されて配置されている。
【００２１】
これらの各窓部２２ａ，２２ｂ，２３ａ及び２３ｂはこれらのドームを形成するためのフレームで構成された多面体の所定の面にビニール等の透明部材を張設して形成される。本実施形態では、アウターシート１ａの窓部２２ａ，２２ｂ，２３ａ及び２３ｂに対応する部位には、各窓と同形状の開口が形成されており、これらの窓部２２ａ，２２ｂ，２３ａ及び２３ｂは、ビニールなどの透光性を有する素材で形成することができる他、ネットなど透光性及び通気性のある素材としてもよい。
【００２２】
そして、小径ドーム２及び大径ドーム３は接続部４を介して接続されている。この接続部４は、鉄製や木製、強化プラスチック等の樹脂などの硬質の素材で形成されたアーチ型の部材であり、相互に接続される各ドーム（小径ドーム２及び大径ドーム３）のそれぞれに形成された円弧状の切断面２ａ、３ａの形状に合致するようなアーチ状に形成されている。このアーチ状の接続部４を挟み込むように各ドームの切断面２ａ、３ａを対向配置させて付き合わせて接続されている。本実施形態において各ドームの切断面２ａ、３ａは、半球状のドームの頂点を通らない垂直面となっている。
【００２３】
また、小径ドーム２及び大径ドーム３は、ロッド状のフレーム２０又は３０を多数相互に接続して多面体を形成し、この多面体の外表面をアウターシート１ａで覆って半円球に構成されている。アウターシート１ａは、帆布材やビニール等で形成されたシート状の部材であり、フレーム２０，３０で構築された多面体よりも大きめな半球状の形をなしている。アウターシート１ａは、フレーム２０，３０に覆い被せられて、各フレーム２０，３０に係止されるか、或いはアウターシート１ａ側に設けられた挿通部などにフレーム２０，３０が挿通されて連結されるかして、アウターシート１ａがフレーム２０，３０に支持されることとなる。
【００２４】
フレーム２０，３０は、図１１（ｂ）に拡大して示すように、金属製や木製、強化プラスチックなどで形成されたロッド状の部材であり、このロッド部分の両端が板状に形成されたフランジ部５４，５４となっている。このフランジ部５４，５４にはその表裏を貫通させて係合孔５５，５５がそれぞれ穿設されている。ロッド部分の長さや、フランジ部５４のロッド部分に対する角度は、そのフレーム２０，３０が多角形のどの部位に配置されるかに応じて適宜設定されている。
【００２５】
本実施形態において、小径ドーム２及び大径ドーム３は、多数のフレーム２０，３０を相互に連結して多面体を構築しており、これらフレーム２０，３０には水平に配置される水平フレームが含まれ、図１７及び図１８に示すように、各多面体は複数段の各水平面内において、水平フレームを環状又は円弧状に連結してなる水平環状部Ｌ１〜Ｌ６が積層されている。各水平環状部Ｌ１〜Ｌ６を構成する水平フレームを、その上下に連結される他のフレームで相互に接続してトラス状に形成され、水平環状部を形成する水平フレームのうち切断面に臨んで配置されるフレーム２０ａ，２０ｂ，３０ａ及び３０ｂが接続部フレームとして接続部４に接続されている。
【００２６】
詳述すると、図１１に示すように、上述した多数のフレーム２０，３０のうち、切断面２ａ，３ａに臨んで配置されるフレーム２０ａ，２０ｂ，３０ａ及び３０ｂが接続部フレームとして接続部４に接続される。これらの接続部フレーム２０ａ，２０ｂ，３０ａ及び３０ｂそれぞれの接続部４側に位置されるフランジ部は、図１３に示すように、当接部５４ａとして接続部４の側面に当接され、連結具５によって接続部４に固定される。
【００２７】
連結具５は、接続される各ドーム２，３のそれぞれに属する接続部フレームのうち、接続部４を挟んで対向配置されるフレーム２０ａ，２０ｂ，３０ａ及び３０ｂの各当接部５４ａを一括して接続部４に固定するボルトナット機構である。
【００２８】
連結具５は、接続部４の表裏に貫通されて形成された挿通孔４０に挿通されるロッド部５０と、ロッド部５０の両端に刻設されたネジ部５０ａと、当接部５４ａに形成された係合孔５５をネジ部５０ａに挿通した状態で、ネジ部５０ａに螺合される固定ナット５２とワッシャー５３が含まれる。
【００２９】
上述したように、小径ドーム２及び大径ドーム３は、フレーム２０又は３０を多数相互に接続して多面体を形成し、この多面体の外表面をアウターシート１ａで覆って半円球に構成されている。また、図１７に示すように、多面体の内側にはインナーシート６が張設される。このインナーシート６は、遮光性若しくは断熱性のある布や合成繊維で形成された布材であり、厚手の生地を積層して縫製したものを用いることができる。
【００３０】
このインナーシート６の切断面２ａ，３ａに臨む部分において、インナーシート６の表裏を貫通させて形成された固定孔６ａが形成されている。そして、連結具５には、図１３〜図１６に示すように、インナーシート６の表裏を貫通させて形成された固定孔６ａをネジ部５０ａに挿通した状態でネジ部５０ａに螺合され固定孔６ａを固定するキャップ部５１が含まれる。なお、接続部４を挟んで隣接されるインナーシート６，６は、図１５，１６に示すように、インナーシート６の周縁に所定間隔で配置された環状の取付部６ｂ同士を紐部材５６で緊結することにより、相互に引き寄せられて張設されるようになっている。
【００３１】
（作用・効果）
以上説明した実施形態によれば、相互の形状が合致するように、２つの小径ドーム２及び大径ドーム３のそれぞれに切断面２ａ，３ａを形成し、この切断面２ａ，３ａの形状と合致するアーチ状の接続部４を切断面２ａ，３ａの接続部分に配置し、この接続部４を介して、各ドーム２，３の切断面２ａ，３ａを付き合わせてドーム同士を相互に接続している。このため、アーチ状の接続部４を介して半球状のドーム２，３の内部中空が連通されることとなり、広々とした大空間を確保することができる。
【００３２】
また、多数のフレーム２０，３０のうち、接続部４を挟んで対向配置される接続部フレームの各当接部５４ａを連結具５によって一括して接続部４に固定するため、連設ドーム型テントの構築が容易になるとともに、切断面２ａ，３ａに対して複雑に作用する重量負荷をアーチ型の接続部４に適正に伝達することができる。
【００３３】
さらに、連結具５は、その両端のネジ部５０ａ，５０ａに、接続部４を挟んで隣接される各インナーシート６，６の固定孔６ａ，６ａをそれぞれ挿通した状態でキャップ部５１，５１を螺合して固定孔６ａ，６ａを固定できるため、接続部４を挟んで隣接されるインナーシート６，６の張設作業が容易になるとともに、インナーシート６，６の重量負荷をもアーチ型の接続部４に適正に伝達することができる。
【００３４】
これらの結果、アウトドアで用いられるテント設備において、快適な居住性を確保しつつ自然の中にいる感覚が損なわれないように、テントの外部の環境を適度に内部に伝えつつ、広々とした居住空間を支持する強度を確保できる。
【００３５】
なお、上述した実施形態の説明は、本考案の一例である。このため、本考案は上述した実施形態に限定されることなく、本考案に係る技術的思想を逸脱しない範囲であれば、設計等に応じて種々の変更が可能である。
【符号の説明】
【００３６】
Ｇ…地面
Ｌ１〜Ｌ６…水平環状部
１…連設ドーム型テント
１ａ…アウターシート
２…小径ドーム
２ａ，３ａ…切断面
３…大径ドーム
４…接続部
５…連結具
６…インナーシート
６ａ…固定孔
６ｂ…取付部
１０…脚部
２０，３０…フレーム
２０ａ，２０ｂ，３０ａ，３０ｂ…接続部フレーム
２１…エントランス
２２ａ，２２ｂ，２３ａ，２３ｂ…窓部
４０…挿通孔
５０…ロッド部
５０ａ…ネジ部
５１…キャップ部
５２…固定ナット
５３…ワッシャー
５４…フランジ部
５４ａ…当接部
５５…係合孔
５６…紐部材
【図１】
0003227638.tif 000003
【図２】
0003227638.tif 000004
【図３】
0003227638.tif 000005
【図４】
0003227638.tif 000006
【図５】
0003227638.tif 000007
【図６】
0003227638.tif 000008
【図７】
0003227638.tif 000009
【図８】
0003227638.tif 000010
【図９】
0003227638.tif 000011
【図１０】
0003227638.tif 000012
【図１１】
0003227638.tif 000013
【図１２】
0003227638.tif 000014
【図１３】
0003227638.tif 000015
【図１４】
0003227638.tif 000016
【図１５】
0003227638.tif 000017
【図１６】
0003227638.tif 000018
【図１７】
0003227638.tif 000019
【図１８】
0003227638.tif 000020